(57)【要約】【課題】目的地のカテゴリーに適したＰＯＩマークを自動的に決定して表示できるようにする。【解決手段】目的地のカテゴリーに対応させて表示すべきＰＯＩマークをメモリ（１６ａ）に設定しておき、目的地が特定された時、該目的地のカテゴリーを取得し、該目的地のカテゴリーに応じたＰＯＩマークを誘導地図上に表示する。例えば、地点登録された地点のカテゴリーを地点登録メモリ（１６ｂ）に設定しておき、所定の登録地点を目的地とする時、該登録地点のカテゴリーを取得し、該カテゴリーに応じたＰＯＩマークを誘導地図上に表示する。【選択図】    図１
2005037144.tif 000002
【特許請求の範囲】
【請求項１】
ＰＯＩマーク表示方法において、
目的地のカテゴリーに対応させて表示すべきＰＯＩを設定しておき、
目的地が特定された時、該目的地のカテゴリーを取得し、
該目的地のカテゴリーに応じたＰＯＩのマークを誘導地図上に表示する、
ことを特徴とするナビゲーション装置におけるＰＯＩマーク表示方法。
【請求項２】
地点登録された地点のカテゴリーを設定しておき、所定の登録地点を目的地とする時、該登録地点のカテゴリーを取得し、該カテゴリーに応じたＰＯＩマークを誘導地図上に表示する、
ことを特徴とする請求項１記載のナビゲーション装置におけるＰＯＩマーク表示方法。
【請求項３】
常時表示すべきＰＯＩを設定しておき、該ＰＯＩのマークを前記目的地のカテゴリーに応じたＰＯＩマークと共に表示する、
ことを特徴とする請求項１または請求項２記載のナビゲーション装置におけるＰＯＩマーク表示方法。
【請求項４】
目的地までの所要時間が設定時間を超える時、あるいは所要時間が設定時間以下であったが交通事情により設定時間を超える時、予め設定されている所定ＰＯＩのマークを表示する、
ことを特徴とする請求項１または請求項２記載のナビゲーション装置におけるＰＯＩマーク表示方法。
【発明の詳細な説明】
【０００１】
【発明の属する技術分野】
本発明は、ＰＯＩマーク表示方法に係わり、特に、目的地のカテゴリーに応じたＰＯＩマークを誘導地図上に表示するＰＯＩ表示方法に関する。
【０００２】
【従来の技術】
車両の走行案内を行い、運転者が所望の目的地に容易に到達できるようにしたナビゲーション装置は、車両の位置を検出して地図記録媒体（例えばＣＤ−ＲＯＭ、ＤＶＤディスク）から車両位置周辺の地図データを読み出し、地図画像をディスプレイ画面に描画するとともに該地図画像上の所定箇所に自車位置マークを重ねて描画する。そして、車両の移動により自車位置が変化するに従い、自車位置マークを画面所定位置に固定して地図をスクロールし、常に、車両位置周辺の地図情報が一目で判るようになっている。また、以上に加えて、ナビゲーション装置は、出発地から目的地までの誘導経路を探索し、該誘導経路を地図上に表示する経路誘導機能や地図上に所定のＰＯＩマークを表示するＰＯＩ表示機能を備えている。ＰＯＩは、Ｐｏｉｎｔ  ｏｆ  Ｉｎｔｅｒｅｓｔの略で興味のある施設、地点を指し、例えば各種食べ物店、各種小売り点、ガソリンスタンド、銀行、遊び施設、宿泊施設、観光地などを意味する。
【０００３】
ＰＯＩ表示は該ＰＯＩに応じたマーク（ＰＯＩマーク）を表示することにより行うが、全てのＰＯＩマークを表示すると地図がＰＯＩマークで隠れてしまう。そこで、ナビゲーション装置では、所定のＰＯＩマークのみを表示するように、表示すべきＰＯＩを設定変更できるようになっている。
又、表示すべきＰＯＩマークの種類を限定しても繁華街等の場所によっては表示するＰＯＩマークが重なって下のマークが見えなくなる場合があり、ＰＯＩマークが重なった場合  所定時間毎に最前面のＰＯＩマークを切り替える技術（特許文献１）が提案されている。
【特許文献１】特開平２００１−３１７９５５号公報
【０００４】
【発明が解決しようとする課題】
従来の技術は、運転していて自分が必要となるであろうＰＯＩを予測し、設定により該ＰＯＩのマークのみを固定的に表示し、また、重なる場合には最前面のＰＯＩマークを自動的に切り替えるものであった。
ところで、目的地を設定し、該目的地に向けて誘導経路に沿って走行する場合、表示すべきＰＯＩマークは目的地のカテゴリー（ゴルフ場、スキー場、知人宅、ショッピング等）により変わる。たとえば、目的地のカテゴリーがショッピングであれば、駐車場、  デパート等であり、目的地のカテゴリーがスキー場であればチェーン脱着場所などである。従来は、ＰＯＩマークを固定的に表示するものであるため、目的のカテゴリーに応じたＰＯＩマークの表示ができない問題があった。このため、目的地に応じて表示するＰＯＩマークを設定、変更するとなると非常に面倒となる。
【０００５】
以上から本発明の目的は、目的地のカテゴリーに適したＰＯＩマークを自動的に決定して表示できるようにすることである。
ところで、目的地までの走行時間の長短に応じてドライバが必要とするＰＯＩは変化する。そこで、本発明の別の目的は、走行時間が設定時間以上であれば所定のＰＯＩマーク（たとえば、コンビニや道の駅、ガソリンスタンド、レストランのマーク等）を新たに表示できるようにすることである。
また、自分が契約しているカード決済可能ガソリンスタンド（例えばコスモ石油ガソリンスタンド）、取り引き銀行などのＰＯＩマークは目的地のカテゴリーによらず無条件で常時表示するようにすれば便利である。従って、本発明の目的は、所定のＰＯＩマークを目的地のカテゴリーによらず常時表示できるようにすることである。
【０００６】
【課題を解決するための手段】
本発明のＰＯＩマーク表示方法では、目的地のカテゴリーに対応させて表示すべきＰＯＩマークを設定しておき、目的地が特定された時、該目的地のカテゴリーを取得し、該目的地のカテゴリーに応じたＰＯＩマークを誘導地図上に表示する。例えば、地点登録された地点のカテゴリーを設定しておき、所定の登録地点を目的地とする時、該登録地点のカテゴリーを取得し、該カテゴリーに応じたＰＯＩマークを誘導地図上に表示する。本発明のＰＯＩマーク表示方法によれば、目的地のカテゴリーに適したＰＯＩマークを自動的に決定して表示することができる。
【０００７】
また、本発明のＰＯＩマーク表示方法において、常時表示すべきＰＯＩを設定しておき、該ＰＯＩのマークを目的地のカテゴリーに応じたＰＯＩマークと共に表示する。このようにすれば、自分が契約しているカード決済可能ガソリンスタンド、取引銀行などのＰＯＩマークを、目的地のカテゴリーによらず無条件で常時表示することができ便利である。
また、本発明のＰＯＩマーク表示方法において、目的地までの所要時間が設定時間を超える時、あるいは所要時間が設定時間以下であったが交通事情により設定時間を超える時、所要時間が設定時間以下のＰＯＩマークに加えて新たに予め設定されている所定ＰＯＩのマークを表示する。このようにすれば、目的地までの走行時間の長短に応じてドライバが必要とするＰＯＩが変化する場合であっても、所望のＰＯＩマークを誘導地図上に表示することができる。
【０００８】
【発明の実施の形態】
（Ａ）ナビゲーション装置の構成
図１は本発明のＰＯＩマーク表示方法を実現するナビゲーション装置の構成図である。図中、１１はＣＤ−ＲＯＭやＤＶＤなどの地図を記憶する地図記憶媒体、１２は地図記録媒体からの地図情報の読み取りを制御する記録媒体制御部、１３は車両現在位置を測定する位置測定装置であり、移動距離を検出する車速センサー、移動方位を検出するジャイロ、位置計算用ＣＰＵ、ＧＰＳ受信機等で構成されている。１４は地図記録媒体から読出した地図情報を記憶する地図情報メモリ、１５は地点登録メモリ、１６ａは目的地カテゴリーと表示ＰＯＩの対応テーブル、１６ｂは常時表示ＰＯＩ記憶メモリ、１６ｃは目的地までの所用時間が設定時間以上の場合に表示すべきＰＯＩを記憶する長時間走行表示ＰＯＩメモリである。長時間走行になれば、トイレや買い物、食事、給油が必要になるから、目的地までの所用時間が設定時間以上の場合にトイレのある施設（道の駅）、コンビニ、レストラン、ガソリンスタンドなどを表示できれば便利である。そこで、長時間走行表示ＰＯＩをメモリ１６ｃに保存しておき長時間走行時に表示できるようにする。
【０００９】
１７はメニュー選択操作、拡大／縮小操作、目的地入力操作等を行うリモコン、１８はリモコンインタフェース、１９はナビゲーション装置全体を制御するプロセッサ（ＣＰＵ）、２０は各種制御プログラムを記憶するＲＯＭ、２１は誘導経路など処理結果等を記憶するＲＡＭ、２２は交差点での進行方向の案内を音声で行う音声案内部、２３は地図情報に基づいて地図画像を発生するディスプレイコントローラ、２４はディスプレイコントローラで発生した画像を記憶するＶＲＡＭ、２５はメニュー画像／各種リスト画像を発生するメニュー／リスト発生部、２６は合成部、２７はモニター装置、２８はバスである。
【００１０】
（Ｂ）地図情報
記憶媒体に記録されている地図情報は、図葉毎に、（１）  道路レイヤ、（２）  地図上のオブジェクトを表示するための背景レイヤ、（３）  市町村名など文字を表示するための文字レイヤ、（４）  ＰＯＩの所在位置に適宜ＰＯＩマークを表示するためのＰＯＩマークレイヤなどから構成されている。
ＰＯＩマークレイヤは、図葉毎に、該図葉に含まれるＰＯＩのＰＯＩマークデータを保持する。図２はＰＯＩマークデータの説明図であり、（Ａ）に示すように、
▲１▼ＰＯＩの経緯度位置（ＰＯＩマーク表示位置）、
▲２▼ＰＯＩアイコンコード、
▲３▼ＰＯＩのカテゴリー（レストラン、ホテル、銀行、ガソリンスタンド等）、
▲６▼ＰＯＩの名称
を有している。（Ａ）の例では、（Ｂ）に示すように地図（図葉）ＭＰ上のＡＡＡレストランの所在位置（ｘ１，ｙ１）にＰＯＩアイコンコードが示すＰＯＩマーク５０が表示される。
【００１１】
（Ｃ）地点登録メモリ
地点登録メモリ１５には、図３に示すように、▲１▼ユーザ操作で登録した地点の名称（登録地点名）、▲２▼登録地点マーキング用アイコンコード、▲３▼登録地点のカテゴリー、▲４▼登録地点の位置（経緯度）が格納されている。
地点登録メモリ１５に地点登録するには、
・リモコン上の地点登録キーを操作してその時に車両が存在する地点を登録する、
・地点を検索してモニターに表示し、ついで地点登録メニューを選択してカーソルが示す地点を登録する、
などの操作により行う。
【００１２】
以上の操作により、自動的に地点名と登録地点位置（経緯度）を地点登録メモリ１５に格納することができる。そして、後で「登録地点の編集操作」により、登録地点毎にそのアイコン（登録地点マーキング用アイコン）を選択すると共に登録地点のカテゴリーを入力すれば、地点登録メモリ１５に、該登録地点マーキング用アイコンのコードとカテゴリーが格納、保存される。なお、アイコンとカテゴリーを対応させておけば、アイコンを選択することにより自動的にカテゴリーを登録することができる。登録地点のカテゴリーとしては、たとえば、▲１▼目的地をジャンル検索する際に用いるジャンル（全部でなく幾つかのジャンル）や▲２▼登録地点特有のカテゴリー  （友人宅、帰省、彼女の家、ラーメン、買い物等）がある。
【００１３】
（Ｄ）目的地カテゴリー・表示ＰＯＩ対応テーブル
目的地カテゴリー・表示ＰＯＩ対応テーブル１６ａには、設定された目的地のカテゴリーと表示すべきＰＯＩとの対応が保存されている。図４は目的地カテゴリー・表示ＰＯＩ対応テーブルの一例であり、目的地カテゴリー欄５１は、目的地のカテゴリーを示し、この目的地カテゴリーは図３の地点登録メモリのカテゴリー欄に登録されるカテゴリーと同じである。目的カテゴリー欄５２は目的地カテゴリーを内部的に（自動的に）大別したカテゴリーを示すもので、アウトドアスポーツ、ショッピング、訪問、レジャー、車、食べ物、…などがある。目的地連動ＰＯＩ欄  ５３は、目的カテゴリーに依存して表示すべきＰＯＩのリストを示すものであるが、実質的には目的地カテゴリーに対応して表示すべきＰＯＩのリストを示すものである。詳細ＰＯＩ欄５４は、目的地カテゴリーに依存して表示されるＰＯＩを示すものであり、例えば目的地カテゴリーがスキーの場合はチェーン装着所、目的地カテゴリーがゴルフであればゴルフ練習場などである。
図４の対応テーブルより、たとえば、目的地カテゴリーがゴルフであれば、ＤＩＹ，温泉、周辺観光地、ゴルフ練習場を示すＰＯＩマークが誘導地図上に表示される。また、目的地カテゴリーが帰省であれば、土産店、スーパー、デパートを示すＰＯＩマークが誘導地図上に表示される。
【００１４】
（Ｅ）常時表示ＰＯＩ記憶メモリ
常時表示ＰＯＩ記憶メモリ１６ｂは、常時表示すべきＰＯＩを記憶する。例えば、ドライバが取り引きしている特定銀行（例：三菱銀行）、ドライバが契約しているカード決済可能ガソリンスタンド（例：コスモ石油ガソリンスタンド）、セブンイレブンなど、ドライバが常時表示することを希望するＰＯＩを記憶する。常時表示ＰＯＩ記憶メモリ１６ｂにＰＯＩを格納するには、常時表示ＰＯＩ設定画面を表示し、該画面においてＰＯＩリストをスクロールして所望のＰＯＩを選択入力することにより行う。
【００１５】
（Ｆ）ＰＯＩマーク表示処理
図５は本発明のＰＯＩマーク表示処理フローである。
まず、目的地入力法として登録地点を選択し、登録地点リストを表示し、該リストより所望の目的地を入力する（ステップ１０１）。
目的地が設定されれば、プロセッサ１９は目的地までの誘導経路を計算し（ステップ１０２）、また、目的地のカテゴリーを地点登録メモリ１５より取得する（ステップ１０３）。
ついで、該目的地カテゴリーに基づいて表示すべきＰＯＩを目的地カテゴリー・表示ＰＯＩ対応テーブル１６ａより取得する（ステップ１０４）。また、常時表示ＰＯＩ記憶メモリ１６ｂに常時表示ＰＯＩが存在するかチェックし（ステップ１０５）、存在すれば該常時表示ＰＯＩを取得する（ステップ１０６）。以後、車両周辺の地図及び誘導経路を表示すると共に、ステップ１０４及びステップ１０６で取得したＰＯＩのＰＯＩマークを地図上に表示する（ステップ１０７）。
以上により、目的地カテゴリーに応じたＰＯＩのＰＯＩマークと常時表示ＰＯＩマークを誘導経路と共に地図上に表示することができる。
【００１６】
図６は本発明の別のＰＯＩマーク表示処理フローであり、図５のステップ１０１〜１０６と同様の処理を行って目的地カテゴリーに応じたＰＯＩのＰＯＩマークと常時表示ＰＯＩマークを取得する（ステップ３０１）。
ついで、目的地までの所用時間を計算し、該所用時間が設定時間以上であるかチェックする（ステップ３０２）。なお、所用時間は道路交通法により規定された速度で走行した時の目的地に到達するに要する時間である。
所用時間が設定時間より長ければ、長時間走行表示ＰＯＩメモリ１６ｃより走行時間が設定時間以上の場合に表示すべきＰＯＩを取得する（ステップ３０３）。しかる後、ステップ１０４，１０６、３０３で取得したＰＯＩを地図上に誘導経路と共に表示する（ステップ３０４）。
【００１７】
地図表示とともに、到達時間を常時監視し、到達時間が交通事情で設定時間以上になったかチェックし（ステップ３０５）、設定時間以上にならなければ目的地に到達したかチェックし（ステップ３０６）、到達しなければステップ３０４以降の処理を繰返す。
一方、ステップ３０５において、到達時間が交通事情で延びて設定時間以上になれば、メモリ１６ｃより長時間走行表示ＰＯＩを取得し（ステップ３０７）、以後、ステップ１０４，１０６，３０３，３０７で取得したＰＯＩを地図上に表示する（ステップ３０８）。そして、目的地に到達したかチェックし（ステップ３０９）、到達しなければステップ３０８以降の処理を繰返す。
以上により、目的地カテゴリーに応じたＰＯＩのＰＯＩマークと常時表示ＰＯＩマークと長時間走行表示ＰＯＩを誘導経路と共に地図上に表示することができる。
以上では登録地点を用いて目的地を特定した場合であるが、目的地をジャンル検索して特定する場合にも本発明を適用できることは勿論である。
【００１８】
【発明の効果】
以上本発明によれば、目的地のカテゴリーに対応させて表示すべきＰＯＩマークを保存しておき、目的地が設定された時、該目的地のカテゴリーを取得し、該目的地のカテゴリーに応じたＰＯＩマークを誘導地図上に表示するようにしたから、目的地のカテゴリーに適したＰＯＩマークを自動的に決定して表示することができる。
また、本発明によれば、常時表示すべきＰＯＩを設定しておき、該ＰＯＩのマークを目的地のカテゴリーに応じたＰＯＩマークと共に表示するようにしたから、自分が契約しているカード決済可能ガソリンスタンド、取り引き銀行などのＰＯＩマークを、目的地のカテゴリーによらず無条件で常時表示することができ便利である。
【００１９】
また、本発明によれば、目的地までの所要時間が設定時間を超える時、あるいは所要時間が設定時間以下であったが交通事情により設定時間を超える時、予め設定されている所定ＰＯＩのマークをさらに表示するようにしたから、目的地までの走行時間の長短に応じてドライバが必要とするＰＯＩが変化する場合であっても、走行時間の長短に応じた所望のＰＯＩマークを誘導地図上に表示することができる。
【図面の簡単な説明】
【図１】本発明のＰＯＩマーク表示方法を実現するナビゲーション装置の構成図である。
【図２】ＰＯＩマークデータの説明図である。
【図３】地点登録メモリの記憶内容説明図である。
【図４】目的地カテゴリー・表示ＰＯＩ対応テーブルの一例である。
【図５】本発明のＰＯＩマーク表示処理フローである。
【図６】本発明の別のＰＯＩマーク表示処理フローである。
【符号の説明】
１１  地図記憶媒体
１２  記録媒体制御部
１３  位置測定装置
１４  地図情報メモリ
１５  地点登録メモリ
１６ａ    目的地カテゴリーと表示ＰＯＩの対応テーブル
１６ｂ    常時表示ＰＯＩ記憶メモリ
１６ｃ    長時間走行表示ＰＯＩメモリ
１９  ナビゲーション装置全体を制御するプロセッサ（ＣＰＵ）
２７  モニター装置
【図１】
2005037144.tif 000003
【図２】
2005037144.tif 000004
【図３】
2005037144.tif 000005
【図４】
2005037144.tif 000006
【図５】
2005037144.tif 000007
【図６】
2005037144.tif 000008